(57)【特許請求の範囲】
【請求項１】
支柱の周面の一部に形成した縦長の凹溝の左右内側面に、一対の係止突条が相対向して突出形成され、前記係止突条を介してコード保持具が取り付けられる構成であって、
前記コード保持具は、前記凹溝の内部に位置した部分を有するベース体と、前記ベース体のうち前記凹溝の底面と反対側の部位に連設されてコードを保持する保持鉤部と、前記ベース体のうち凹溝に入った部位に連接された係止片とを有しており、
前記係止片は、前記凹溝の底面と係止突条との間に嵌まり得ると共に、前記左右係止突条の間の間隔寸法よりも小さい長さの短辺と前記一対の係止突条に係止し得る長さの長辺とを有する形状であり、前記保持具は、当該保持具を回動させて前記係止片を前記係止突条に係脱させることにより、前記凹溝の任意の高さ位置に選択的に係止可能である、
支柱におけるコード保持装置。
【請求項２】
前記ベース体には、前記係止片を前記一対の係止突条に向けて付勢する付勢手段が備えられている、
請求項１に記載の支柱におけるコード保持装置。
【請求項３】
前記保持鉤部は可撓性を有する、
請求項１または２に記載の支柱におけるコード保持装置。
【請求項４】
前記凹溝の底面には支柱の軸線に沿って長い案内溝が凹み形成されている一方、前記係止片には、前記案内溝に嵌まる突起部が形成されている、
請求項１乃至３のうちのいずれかに記載の支柱におけるコード保持装置。
【請求項５】
前記支柱は、机天板を支持するための脚支柱であることを特徴とする請求項１乃至４のいずれかに記載の支柱におけるコード保持装置。
【発明の詳細な説明】
【技術分野】
【０００１】
本発明は、机の脚支柱や間仕切パネルの支柱におけるコード保持装置に関するものである。
【背景技術】
【０００２】
例えば特許文献１には、机（テーブル）の天板を支持するための脚支柱をアルミ押出材からなる中空断面形状に形成し、その脚支柱の一側面に上下に長い開口部を形成し、脚支柱内の中空部を上下に長い仕切板で仕切って形成された配線空間に上下方向に長くコードを配線し、上記開口部を合成樹脂製などの着脱自在なカバー体にて覆うことが開示されている。
【０００３】
また、特許文献２には、断面中空状の脚支柱における開口部（スリット）の高さ方向の適宜の箇所の配線空間（配線通過部）を閉塞するように、合成樹脂製の配線止めが着脱可能に取付られている構成が開示されている。
【特許文献１】特開２００４−１５９７０８号公報（図２〜図４参照）
【特許文献２】特開２００２−１２５７６６号公報（図３，図４参照）
【発明の開示】
【発明が解決しようとする課題】
【０００４】
前記特許文献１の構造では、カバー体が脚支柱の長さとほぼ同じ長さを有するので、配線空間の全体をカバー体で覆うことができるが、カバー体が嵩張るという問題があった。
【０００５】
他方、特許文献２の構造では、配線止めは小型であり、脚支柱の高さの任意の位置に装着できるメリットがあるものの、この配線止めは、基端部（一端部）のみが脚支柱の開口部（スリット）における一方の断面円形状の隆起部に回動可能に被嵌しているので、配線止めが脚支柱から外れ易いという問題があった。
【０００６】
本発明は、上記の従来の問題を解消し、小型で支柱の任意の高さ位置に装着できるものでありながら、支柱への取付強度を向上させたコード保持装置を提供することを目的とするものである。
【課題を解決するための手段】
【０００７】
上記の目的を達成するため、請求項１に記載の発明の支柱におけるコード保持装置は、支柱の周面の一部に形成した縦長の凹溝の左右内側面に、一対の係止突条が相対向して突出形成され、前記係止突条を介してコード保持具が取り付けられる構成において、前記コード保持具は、前記凹溝の内部に位置した部分を有するベース体と、前記ベース体のうち前記凹溝の底面と反対側の部位に連設されてコードを保持する保持鉤部と、前記ベース体のうち凹溝に入った部位に連接された係止片とを有しており、前記係止片は、前記凹溝の底面と係止突条との間に嵌まり得ると共に、前記左右係止突条の間の間隔寸法よりも小さい長さの短辺と前記一対の係止突条に係止し得る長さの長辺とを有する形状であり、前記保持具は、当該保持具を回動させて前記係止片を前記係止突条に係脱させることにより、前記凹溝の任意の高さ位置に選択的に係止可能になっている。
【０００８】
また、請求項２に記載の発明は、請求項１において、前記ベース体には、前記係止片を前記一対の係止突条に向けて付勢する付勢手段が備えられているものである。
【０００９】
請求項３に記載の発明は、請求項１または２において、前記保持鉤部は可撓性を有している。
【００１０】
請求項４に記載の発明は、請求項１乃至３のいずれかにおいて、前記凹溝の底面には支柱の軸線に沿って長い案内溝が凹み形成されている一方、前記係止片には、前記案内溝に嵌まる突起部が形成されている。
【００１１】
請求項５に記載の発明は、請求項１乃至４のいずれかにおいて、前記支柱は、机天板を支持するための脚支柱である。
【発明の効果】
【００１２】
請求項１の発明において、係止片の長辺の寸法を上記凹溝の幅寸法より若干長く形成しておけば、コード保持具の全体を９０度より若干小さい角度（例えば、８０度〜８８度程度）まで回動させたときに、係止片の一対の短辺の自由端縁が凹溝の幅内で支えることになり、この姿勢のままで、係止片は凹溝及び一対の係止突条から抜け不能となるので、付勢手段が無くても、支柱の凹溝に対してコード保持具を着脱可能に装着でき、且つその装着強度も従来の構成に比べて向上するのである。
【００１３】
請求項２に記載の発明によれば、前記ベース体には勢手段が備えられているので、支柱の任意の高さ位置でコード保持具が落下しないように位置保持でき、その取付強度も一層向上するのである。
【００１４】
請求項３に記載の発明によれば、保持鉤部が可撓性を有するので、保持鉤部を撓ませるだけで、簡単にコードがコード保持具から外れないようにすることができる。
【００１５】
請求項４に記載の発明によれば、コード保持具における係止片の裏面には、その長辺の中央部に突起部が形成されている。そして、凹溝内の仕切板の表面には、その幅方向の中央位置に支柱の軸線に沿って長い案内溝を凹み形成しておけば、係止片の長辺の延びる方向が凹溝の延びる方向と直交する姿勢を保持することが良くなり、係止片が凹溝から外れる方向に回動し難くなるという効果を奏する。
【００１６】
また、請求項５に記載の発明は机の脚支柱に適用したもので、机上に載置した電気製品などに対するコードの配線作業が容易になり、コードを脚支柱の側面に沿って配線できるから、コードが邪魔にならないという効果を奏する。
【発明を実施するための最良の形態】
【００１７】
以下、本発明の実施形態を、図面を参照しながら説明する。図１は机の全体正面図、図２は机の１つの隅部を示す切欠き斜視図、図３は机の構成部品の分解斜視図、図４は第１実施形態のコード保持具の構成部品の分解斜視図、図５はコード保持具の斜視図、図６（ａ）はコード保持具の平面図、図６（ｂ）は図６（ａ）のVIb −VIb 線矢視断面図、図６（ｃ）はコード保持具の側面図、図６（ｄ）はコード保持具の裏面図、図７は図２のVII −VII 線矢視拡大断面図、図８は別の脚支柱にコード保持具を装着した状態の断面図、図９（ａ）は第２実施形態のコード保持具の斜視図、図９（ｂ）は平面図である。
【００１８】
第１実施形態における机１は、平面視略矩形状の机天板２と、机天板２の下面の４隅部分を支持する脚支柱３と、机天板２を支持固定するための枠体５と、この４本の脚支柱３の上端に固定されると共に机天板２及び枠体を連結するための連結体４とを備える（図１及び図３参照）。枠体５は断面が実質上矩形の中空状の横梁５ａからなる。実施形態では机天板２は木製である。
【００１９】
脚支柱３はアルミ押出材であり、各脚支柱３の外周は、図７に示すように、平断面において１つの丸角部３ａと２つの鋭角部３ｂ，３ｂとを有する実質上三角形に形成されている。また、上記２つの鋭角部３ｂ，３ｂの間を連結する仕切板部３１を介して中空状の筒部３２と、縦長の凹溝３３とに区画されている。そして、筒部３２における丸角部３ａ側と仕切板部３１側とには、平面視においてΩ状のビスポケット３４，３５が一体的に形成されている。また、凹溝３３のうち底面を挟んだ左右内側面には、一対の係止突条３６，３６が相対向して突出形成されている。
【００２０】
連結体４は、図１〜図３に示すように、アルミ製等でダイキャストにより一体成形されたものである。連結体４は図３に示すように、平面視で実質上５角形に形成されている。連結体４の基部のうち水平部は、脚支柱３の上端面を塞いで上記ビスポケット３４，３５にビス止め固定されている。連結体４の基部のうち垂直部は、脚支柱３の側面に当接して横ボルト（図示せず）にて締着されている。
【００２１】
他方、連結体４には、平面視で直交する方向に延びる上向き開放溝状の一対の横梁支持部（水平アーム部）４７が形成されている。そして、各水平アーム部４７には中空矩形状の横梁５ａの端部が上から嵌め入れられていてビス等で固定されている。また、机天板の下面側と前記連結体４及び各横梁５ａとをビスまたはボルトにて締着固定する。
【００２２】
図４〜図６で本発明に係るコード保持具１０の第１実施形態を示している。コード保持具１０は、脚支柱３の凹溝３３に入る部分を有するベース体１１と、このベース体１１に連設してコード１２を保持する保持鉤部１３と、短辺と長辺とを有する係止片１４とを備える。係止片１４の短辺は凹溝３３の幅内の長さであり、長辺は、一対の係止突条３６，３６に係止し得る長さである。コード保持具１０は、係止片１４（コード保持具１０全体）が凹溝３３に対して回動することにより、凹溝３３の軸線方向の適宜位置に選択的に係止可能に構成されている。
【００２３】
コード保持具１０は合成樹脂製の一体的射出成形品であり、保持鉤部１３は、ベース体１１の先端（凹溝３３の底面と反対側の部分）から突出する１本の柱部１３ａと、この柱部１３ａの先端から左右方向且つベース体１１の側方に湾曲して延びる鉤片部１３ｂ，１３ｂとからなる。この一対の鉤片部１３ｂ，１３ｂはその先端側（自由端側）が外力により撓み易い可撓性部材にて構成されていることが好ましい。
【００２４】
係止片１４の短辺の寸法Ｗ１は、上記凹溝３３における一対の係止突条３６，３６の先端間の隙間寸法Ｗ２より短く形成され、係止片１４の長辺の寸法Ｈ１は上記凹溝３３の溝幅寸法Ｈ２より若干短く且つ寸法Ｗ２より大きく形成されている（図６（ｄ）及び図７参照）。
【００２５】
コード保持具１０におけるベース体１１には、断面円形の孔１５が係止片１４の裏面に（凹溝３３の底面に向いて）開口するように形成され、孔１５の底部には、係止筒１６が一体的に形成されている（図６（ｂ）参照）。そして、上記孔１５に付勢手段としての圧縮コイルバネ１７と押しボタン１９が配置されている。その構成を詳述すると、圧縮コイルバネ１７の一端が係止筒１６の外周面に対して抜け不能に係合され、圧縮コイルバネ１７の他端が押しボタン１９の外周面に対して抜け不能に係合されている。圧縮コイルバネ１７の自由状態では、押しボタン１９の先端面が係止片１４の裏面から適宜寸法だけ突出しており、押しボタン１９の先端側が仕切板３１（凹溝３３の底面）にて押されると、圧縮コイルバネ１７の付勢力に抗して押しボタン１９の全体が孔１５側に沈み込み可能に構成されたものである（図６（ａ）〜図６（ｃ）参照）。
【００２６】
さらに、コード保持具１０における係止片１４の裏面には、その長辺の中央部に一対の位置決め突起２０，２０（請求項にいう突起部に相当）が形成されている（図４及び図５参照）。そして、凹溝３３の底面（仕切板３１の表面）に、その幅方向の中央位置に支柱の軸線に沿って上下に長い案内溝を凹み形成しておけば、係止片１４を凹溝３３の延びる方向と直交する方向に延びる姿勢に保持する保持性が良くなり、係止片１４が凹溝から外れる方向に回動し難くなるという効果を奏する。
【００２７】
上記の構成において、脚支柱３の凹溝３３が見える側にて、係止片１４をその一対の短辺側が一対の係止突条３６，３６の間に位置するようにして縦長の姿勢で挿入し、係止片１４を凹溝３３の底面（仕切板３１）に接近するように押し付けた状態で、コード保持具１０の全体をベース体１１の軸線回りに９０度だけ回動させることにより、係止片１４の自由端部を凹溝３３の底面と係止突条３６との間に嵌め込み、それからから手を離す（図７の状態を参照）。
【００２８】
すると、押しボタン１９が圧縮コイルバネ１７の付勢力にて凹溝３３の底面（仕切板３１）に押される結果、係止片１４の一対の短辺の自由端側が一対の係止突条３６，３６に係止されて、コード保持具１０は、脚支柱３の任意の高さ位置で落下しないように位置保持できる。
【００２９】
このようなコード保持具１０を、脚支柱３の高さ方向に適宜隔てて複数箇所に装着し、机天板２上の電子機器や電気製品２１のための１乃至複数本のコード１２を、保持鉤部１３の壁義片部１３ｂを撓ませることにより、コード保持具１０におけるベース体１１と柱部１３ａと鉤片部１３ｂとの間の空間（コード保持空間）に押し込むと、コード１２の中途部分がぶらぶらせず、脚支柱３の側面に沿わせて配線できるのである（図１参照）。
【００３０】
なお、係止片１４の長辺の延びる方向が凹溝３３の上下方向に沿う状態（係止片１４の一対の短辺側が一対の係止突条３６，３６の間に位置する状態）で、予めコード１２を凹溝３３の近傍に配置してから、ベース体１１と柱部１３ａと鉤片部１３ｂとの間の空間にコード１２の一部を挿入し、次いでコード保持具１０を９０度廻しても良い。
【００３１】
図８は別の断面形状の脚支柱３′における凹溝３３に上記の第１実施形態のコード保持具１０を装着した場合を示す。この実施形態でも、コード保持具１０の装着方法及び作用効果は同じであるので、同じ部品（構成）には、同じ符号を付して、詳細な説明は省略する。
【００３２】
図９（ａ）及び図９（ｂ）は、第２実施形態のコード保持具２５を示す。このコード保持具２５では、断面Ｌ字状の一対の保持鉤部２６がベース体１１の左右両側から突出して、一対の保持鉤部２６の各自由端部が相対向し、その間に若干の隙間があるように隔てられているものであり、その他の構成は第１実施形態と同じであるので、同じ部品、構成については同じ符号を付して、詳細な説明は省略する。
【００３３】
この実施形態でも、係止片１４をその一対の短辺側が一対の係止突条３６，３６の間に位置するようにして挿入し、係止片１４の長辺が凹溝３３の底部に接近するように押し付けた状態で、コード保持具２５の全体をベース体１１の軸線回りに９０度だけ回動させてから手を離すことにより、押しボタン１９は圧縮コイルバネ１７の付勢力にて凹溝３３の底面に押される結果、係止片１４の一対の短辺の自由端側が一対の係止突条３６，３６に係止されて、コード保持具２５を脚支柱３の任意の高さ位置で落下しないように位置保持できるのである。そして、一対の保持鉤部２６の各自由端部の間からコード１２の中途部を差し込めば、その後はコード１２は簡単には抜けないのである。
【００３４】
机の脚支柱３，３′に代えて、間仕切パネル用の支柱に対しても、本発明のコード保持具を適用できることはいうまでもない。いずれの場合でも、支柱（脚支柱）の長手方向の適宜位置に、コード保持具を簡単に装着できる。そして、装着強度が大きいので、不用意な外力でコード保持具が簡単に外れない。また、コード保持具自体にコード１２を外れないように位置保持するための保持鉤部１３（２６）を備えているので、コード１２の外れを確実に防止できる。
【００３５】
なお、前記第１及び第２実施形態において、係止片１４の長辺の寸法Ｈ１を上記凹溝３３の幅寸法Ｈ２より若干長くなるに形成しておけば、コード保持具１０（２５）の全体を９０度より若干小さい角度（例えば、８０度〜８８度程度）まで回動させたときに、係止片１４の一対の短辺の自由端縁が凹溝３３の幅内で支えることになり、この姿勢のままで、係止片１４は凹溝３３及び一対の係止突条３６，３６から抜け不能となるので、上記の付勢手段としての押しボタン１９及び圧縮コイルバネ１７が無くても、脚支柱（支柱）の凹溝に対してコード保持具１０（２５）を着脱可能に装着でき、且つその装着強度も従来の構成に比べて向上するのである。
【００３６】
また、図６（ｄ）に示すように、係止片１４の長辺と短辺との交差角部のうち一方の対角線上に、一対の円弧状交差角部１４ａとして切欠き形成し、一対の円弧状交差角部１４ａの直径寸法を凹溝３３の幅寸法Ｈ２より若干短くすれば、コード保持具１０，２５の回動方向を一定に規定できる。
【００３７】
さらに、コード保持具１０（２５）における保持鉤部１３（２６）をベース体１１に対して着脱可能に構成することも可能である。その場合、保持鉤部１３（２６）におけるコード保持空間（例えば、保持鉤部１３での柱部１３ａと鉤片部１３ｂとの間の空間）が大きいものと、小さいものなど複数種類の保持鉤部１３（２６）を準備する。これにより、配線すべきコード１２の太さに応じて保持鉤部１３（２６）のみを交換（取り替え）することで、種々のコードの保持が確実に行える。
【図面の簡単な説明】
【００３８】
【図１】本発明の第１実施形態による事務用机の正面図である。
【図２】机の角部を見る一部切欠き拡大斜視図である。
【図３】机の構成部品の分解斜視図である。
【図４】第1 実施形態のコード保持具の分解斜視図である。
【図５】第1 実施形態のコード保持具の斜視図である。
【図６】（ａ）はコード保持具の平面図、（ｂ）は（ａ）のVIb −VIb 線矢視断面図、（ｃ）はコード保持具の側面図、（ｄ）はコード保持具の裏面図である。
【図７】図２のVII −VII 線矢視拡大断面図である。
【図８】別の脚支柱にコード保持具を装着した状態の断面図である。
【図９】（ａ）は第２実施形態のコード保持具の斜視図、（ｂ）は平面図である。
【符号の説明】
【００３９】
２  机天板
３，３′  脚支柱
４  連結体
１０，２５  コード保持具
１１  ベース体
１２  コード
１３，２６  保持鉤部
１４  係止片
１５  孔
１６  係止筒
１７  圧縮コイルバネ
１９  押しボタン
３１  仕切板部
３３  凹溝
３６  係止突条
【図１】
0004659577.tif 000002
【図２】
0004659577.tif 000003
【図３】
0004659577.tif 000004
【図４】
0004659577.tif 000005
【図５】
0004659577.tif 000006
【図６】
0004659577.tif 000007
【図７】
0004659577.tif 000008
【図８】
0004659577.tif 000009
【図９】
0004659577.tif 000010